(57)【要約】【課題】  規格外のコンパクトディスクの再生を可能にする。【解決手段】  マルチセッションのコンパクトディスクの再生にあたって、各セッションのリードインエリアに記録されたＴＯＣデータを抽出し、各ＴＯＣデータに基づいてコンパクトディスク全体の全体管理データを生成し、セッションのＴＯＣデータ又はコンパクトディスク全体の管理データを参照して一のセッションが再生可能であるかを判定し、再生不能と判定したとき、最内周側のセッションを再生可能とする全体管理データを再生成し、再生成した全体の管理データに基づいて最内周側のセッションのプログラムエリアに記録されたオーディオデータを再生する。【選択図】  図１
2005063556.tif 000002
【特許請求の範囲】
【請求項１】
リードインエリアとこのリードインエリアに次いで設けられるプログラムエリアとこのプログラムエリアに次いで設けられるリードアウトエリアとで１つのセッションを構成し、このセッションが複数設けられるマルチセッションの記録媒体の再生装置において、
上記各セッションのリードインエリアに記録された個別管理データを抽出し、各個別管理データに基づいて上記記録媒体全体の全体管理データを生成する生成手段と、
上記生成手段が抽出した個別管理データ又は全体管理データを参照して一のセッションが再生可能であるかを判定する判定手段と、
上記全体管理データに基づいて上記セッションのプログラムエリアに記録されたコンテンツデータを再生する再生手段とを備え、
上記判定手段が、上記生成手段が抽出した個別管理データ又は全体管理データを参照して上記一のセッションが再生不能と判定したとき、上記生成手段は、上記一のセッションを再生可能とする全体管理データを生成する再生装置。
【請求項２】
上記判定手段は、上記生成手段が生成した全体管理データを参照して、上記一のセッションのリードインエリアに記録された個別管理データと他のセッションのリードインエリアに記録された個別管理データの少なくとも一部が重複しているかを判定し、
上記生成手段は、上記判定手段が上記一のセッションのリードインエリアに記録された個別管理データと他のセッションのリードインエリアに記録された個別管理データの少なくとも一部が重複していると判定したとき、上記他のセッションのリードインエリアに記録された管理データを無視する請求項１記載の再生装置。
【請求項３】
上記判定手段は、上記一のセッションのリードインエリアに記録された個別管理データより上記他のセッションが存在することを示す制御データを検出したとき、この制御データの示すアドレスが所定時間離れたアドレスであるかを判定し、
上記生成手段は、上記判定手段が上記制御データの示すアドレスが所定時間離れていないアドレスであると判定したとき、上記制御データを無視する請求項１記載の再生装置。
【請求項４】
上記判定手段は、上記一のセッションのリードインエリアのアドレスが上記一のセッションのリードアウトエリアの開始アドレスより内周を示しているかを判定し、
上記生成手段は、上記判定手段が上記一のセッションのリードインエリアのアドレスが上記一のセッションのリードアウトエリアの開始アドレスより内周を示していると判定したとき、上記一のセッションのリードインエリアのアドレスを無視する請求項１記載の再生装置。
【請求項５】
上記判定手段は、他のセッションのリードインエリアに、前後のエリアと不連続の所定アドレスが付与されているかを判定し、
上記生成手段は、上記他のセッションのリードインエリアに、前後のエリアと不連続の所定アドレスが付与されていると判定したとき、上記他のセッションのリードインエリアの前後のエリアと不連続の所定アドレスを無視する請求項１記載の再生装置。
【請求項６】
更に、上記プログラムエリアに記録されているコンテンツデータを再生するとき、バーストエラーの数をカウントするカウント手段を備え、
上記カウント手段は、検出するバーストエラー数が所定値以下のとき、検出したバーストエラーを無視し、上記再生手段の高速再生を許可する請求項１記載の再生装置。
【請求項７】
上記判定手段は、上記生成手段が生成した全体管理データを参照して、上記一のセッションのリードインエリアに記録された個別管理データと他のセッションのリードインエリアに記録された個別管理データの少なくとも一部が重複しているかを判定し、
上記生成手段は、上記判定手段が上記一のセッションのリードインエリアに記録された個別管理データと他のセッションのリードインエリアに記録された個別管理データの少なくとも一部が重複していると判定したとき、上記他のセッションのリードインエリアに記録された管理データを無視する請求項６記載の再生装置。
【請求項８】
上記判定手段は、上記一のセッションのリードインエリアに記録された個別管理データより上記他のセッションが存在することを示す制御データを検出したとき、この制御データの示すアドレスが所定時間離れたアドレスであるかを判定し、
上記生成手段は、上記判定手段が上記制御データの示すアドレスが所定時間離れていないアドレスであると判定したとき、上記制御データを無視する請求項６記載の再生装置。
【請求項９】
上記判定手段は、上記一のセッションのリードインエリアのアドレスが上記一のセッションのリードアウトエリアの開始アドレスより内周を示しているかを判定し、
上記生成手段は、上記判定手段が上記一のセッションのリードインエリアのアドレスが上記一のセッションのリードアウトエリアの開始アドレスより内周を示していると判定したとき、上記一のセッションのリードインエリアのアドレスを無視する請求項６記載の再生装置。
【請求項１０】
上記判定手段は、他のセッションのリードインエリアに、前後のエリアと不連続の所定アドレスが付与されているかを判定し、
上記生成手段は、上記他のセッションのリードインエリアに、前後のエリアと不連続の所定アドレスが付与されていると判定したとき、上記他のセッションのリードインエリアの前後のエリアと不連続の所定アドレスを無視する請求項６記載の再生装置。
【請求項１１】
リードインエリアとこのリードインエリアに次いで設けられるプログラムエリアとこのプログラムエリアに次いで設けられるリードアウトエリアとで１つのセッションを構成し、このセッションが複数設けられるマルチセッションの記録媒体の再生方法において、
上記各セッションのリードインエリアに記録された個別管理データを抽出し、各個別管理データに基づいて上記記録媒体全体の全体管理データを生成するステップと、
上記個別管理データ又は全体管理データを参照して一のセッションが再生可能であるかを判定するステップと、
上記個別管理データ又は全体管理データを参照して上記一のセッションが再生不能と判定したとき、上記一のセッションを再生可能とする全体管理データを再生成するステップと、
上記再生成した全体管理データに基づいて上記セッションのプログラムエリアに記録されたコンテンツデータを再生するステップとを有する再生方法。
【請求項１２】
上記全体管理データを参照して、上記一のセッションのリードインエリアに記録された個別管理データと他のセッションのリードインエリアに記録された個別管理データの少なくとも一部が重複しているかを判定し、
上記一のセッションのリードインエリアに記録された個別管理データと他のセッションのリードインエリアに記録された個別管理データの少なくとも一部が重複していると判定したとき、上記他のセッションのリードインエリアに記録された管理データを無視する請求項１１記載の再生方法。
【請求項１３】
上記一のセッションのリードインエリアに記録された個別管理データより上記他のセッションが存在することを示す制御データを検出したとき、この制御データの示すアドレスが所定時間離れたアドレスであるかを判定し、
上記制御データの示すアドレスが所定時間離れていないアドレスであると判定したとき、上記制御データを無視する請求項１１記載の再生方法。
【請求項１４】
上記一のセッションのリードインエリアのアドレスが上記一のセッションのリードアウトエリアの開始アドレスより内周を示しているかを判定し、
上記一のセッションのリードインエリアのアドレスが上記一のセッションのリードアウトエリアの開始アドレスより内周を示していると判定したとき、上記一のセッションのリードインエリアのアドレスを無視する請求項１１記載の再生方法。
【請求項１５】
他のセッションのリードインエリアに、前後のエリアと不連続の所定アドレスが付与されているかを判定し、
上記他のセッションのリードインエリアに、前後のエリアと不連続の所定アドレスが付与されていると判定したとき、上記他のセッションのリードインエリアの前後のエリアと不連続の所定アドレスを無視する請求項１１記載の再生方法。
【請求項１６】
上記プログラムエリアに記録されているコンテンツデータを再生するとき、バーストエラーの数をカウントするステップと、
検出するバーストエラー数が所定値以下のとき、検出したバーストエラーを無視し、上記再生手段の高速再生を許可するステップとを有する請求項１１記載の再生方法。
【請求項１７】
上記全体管理データを参照して、上記一のセッションのリードインエリアに記録された個別管理データと他のセッションのリードインエリアに記録された個別管理データの少なくとも一部が重複しているかを判定し、
上記一のセッションのリードインエリアに記録された個別管理データと他のセッションのリードインエリアに記録された個別管理データの少なくとも一部が重複していると判定したとき、上記他のセッションのリードインエリアに記録された管理データを無視する請求項１６記載の再生方法。
【請求項１８】
上記一のセッションのリードインエリアに記録された個別管理データより上記他のセッションが存在することを示す制御データを検出したとき、この制御データの示すアドレスが所定時間離れたアドレスであるかを判定し、
上記制御データの示すアドレスが所定時間離れていないアドレスであると判定したとき、上記制御データを無視する請求項１６記載の再生方法。
【請求項１９】
上記一のセッションのリードインエリアのアドレスが上記一のセッションのリードアウトエリアの開始アドレスより内周を示しているかを判定し、
上記一のセッションのリードインエリアのアドレスが上記一のセッションのリードアウトエリアの開始アドレスより内周を示していると判定したとき、上記一のセッションのリードインエリアのアドレスを無視する請求項１６記載の再生方法。
【請求項２０】
他のセッションのリードインエリアに、前後のエリアと不連続の所定アドレスが付与されているかを判定し、
上記他のセッションのリードインエリアに、前後のエリアと不連続の所定アドレスが付与されていると判定したとき、上記他のセッションのリードインエリアの前後のエリアと不連続の所定アドレスを無視する請求項１６記載の再生方法。
【発明の詳細な説明】
【技術分野】
【０００１】
本発明は、規格外の記録媒体を再生可能とする再生装置及び再生方法に関する。
【背景技術】
【０００２】
従来、光ディスクであるコンパクトディスクには、ＣＤ−ＤＡ（Compact Disc Digital Audio）型コンパクトディスク、ＣＤ−ＲＯＭ（Compact Disc Read Only Memory）型コンパクトディスクがある。更に、コンパクトディスクには、ＣＤ−ＤＡ（Compact Disc Digital Audio）型コンパクトディスクのフォーマットを基礎にしたＣＤ−Ｒ（Compact Disc Recordable）型コンパクトディスク、ＣＤ−ＲＷ（Compact Disc Rewritable）型コンパクトディスク、ＣＤ−Ｅｘｔｒａ型コンパクトディスク等のマルチセッション型のコンパクトディスクがある。例えば、マルチセッション型であるＣＤ−Ｅｘｔｒａ型コンパクトディスクでは、内周側のセッションに一又は複数のオーディオデータを記録し、外周側のセッションに、内周側セッションに記録されたオーディオデータに関連した画像データ、映像データ、コンピュータプログラム等の関連データが記録される。なお、このマルチセッション型のコンパクトディスクに関しては、下記特許文献１がある。
【０００３】
以上のようなコンパクトディスクの再生装置としては、専らＣＤ−ＤＡ（Compact Disc Digital Audio）型コンパクトディスク等に記録されたオーディオデータの再生を目的としたオーディオ専用再生装置と、上述のコンパクトディスク全ての再生を可能とする複合再生装置とがある。
【０００４】
ここで、マルチセッション型コンパクトディスクを例に取り説明すると、このマルチセッション型コンパクトディスク１は、図１１に示すように、センタ孔２の周囲にクランピングエリア２が設けられ、このクランピングエリア２ａの外周側に、オーディオデータ等が記録される第１のセッション３が設けられ、この第１のセッション３の外周側に、第１のセッション３に関連した関連データが記録される第２のセッション４が設けられている。各セッション３，４は、内周側に、ＴＯＣ（Table Of Contents）データが記録されるリードインエリア３ａ，４ａが設けられ、リードインエリア３ａ，４ａの外周側に、オーディオデータ、関連データ等の一又は複数のコンテンツデータが記録されるプログラムエリア３ｂ，４ｂが設けられ、プログラムエリア３ｂ，４ｂの外周側に、セッション３，４の終わりを示すリードアウトエリア３ｃ，４ｃが設けられている。なお、ＣＤ−ＤＡ型コンパクトディスクは、全体が一のセッションで構成されている。
【０００５】
コンパクトディスク１では、各セッション３，４に、８−１４変調（ＥＦＭ変調：Eight to Fourteen Modulation）されたデータが図１２に示す記録フォーマットで記録されている。すなわち、図１２に示すように、各セッション３，４に記録されるデータを構成するフレームは、例えば３２個のシンボル（１シンボルは１４ビットで構成される。）を一まとめで取り扱うことができるように、フレームの先頭に２４ビットの同期信号（１１Ｔ，１１Ｔ’（’は反転を示す。），２Ｔのパターン又はこの逆パターン）が設けられ、次いで、１シンボル（１４ビット）のサブコードデータが設けられ、次いで、３２シンボルからなる主信号データと訂正用パリティが設けられ、全体が５８８チャンネルビットで構成されている。また、各シンボルの間には、フレーム同期信号とサブコードデータとの間を除き３ビットの接続ビットが挿入されている。
【０００６】
サブコードデータは、１つのシンボルが各フレームに１つ記録されている。このサブコードデータには、アドレス情報等が記録されている。サブコードデータを構成するＥＦＭ変調前の８ビットのデータは、Ｐ、Ｑ、Ｒ、Ｓ、Ｔ、Ｕ、Ｖ、Ｗのチャンネルに割り振られている。サブコードデータは、図１３に示すように、９８フレームで１つのブロックを構成し、このブロックの先頭には、当該ブロックの先頭を識別するための同期信号Ｓ０，Ｓ１が格納されている。この同期信号Ｓ０，Ｓ１には、ＥＦＭ変換テーブルに用いられないパターンが用いられている。すなわち、図１４に示すように、サブコードデータは、２バイトの同期信号を除いた９６バイトで１ブロックを構成する。サブコードデータのＰ〜Ｗの各チャンネルのブロックは、Ｐ１〜Ｗ１からＰ９６〜Ｗ９６、すなわち９６ビット（同期信号を含めて９８ビット）で構成される。
【０００７】
サブコードデータのＰチャンネルは、主として、スタートフラグとして用いられ、Ｑチャンネルは、主として、アドレス情報等が記録され、リードインエリア３ａ，４ａでは、ＴＯＣデータとなる。また、Ｒ〜Ｗチャンネルは、ユーザーズビットとして、６つをひとまとまりとして、グラフィック、エラーチェック等に使用される。なお、リードインエリア３ａ，４ａに記録されるＴＯＣデータについては後述する。
【０００８】
更に、図１２に示すように、サブコードデータ以降に設けられる主信号データは、１２シンボルで構成されており、主信号データに次いで設けられる訂正用パリティは、４シンボルで構成されている。訂正用パリティには、（Cross Interleave Reed-Solomon Code;ＣＩＲＣ）のリードソロ符号記号が格納されている。１フレームには、サブコードデータに次いで１２シンボルの主信号データが設けられ、次いで、４シンボルの訂正用パリティが設けられ、次いで、１２シンボルの主信号データが設けられ、次いで、４シンボルの訂正用パリティが設けられている。
【０００９】
次いで、図１５を参照して、リードインエリア３ａ，４ａのＱチャンネル、すなわちＴＯＣデータについて説明する。このＱチャンネルは、先頭から順に、４ビットのコントロールブロックＣＮＴ、４ビットのアドレスブロックＡＤＲ、８ビットのトラック番号ブロックＴＮＯ、８ビットのポイントブロックＰＯＩＮＴ、８ビットの分成分ブロックＭｉｎ、８ビットの秒成分ブロックＳｅｃ、８ビットのフレーム成分ブロックＦｒａｍｅ、「０」が記録された８ビットのゼロブロックＺＥＲＯ、８ビットの分成分ブロックＰｍｉｎ、８ビットの秒成分ブロックＰｓｅｃ、フレーム成分ブロックＰｆｒａｍｅが設けられている。
【００１０】
コントロールブロックＣＮＴには、データ用であるとき「１」が設定され、オーディオ用であるとき「０」が設定されている。また、コントロールブロックＣＮＴは、トラック毎に記録されており、ポイントブロックＰＯＩＮＴが１〜９９の場合、トラックナンバを示し、このトラックナンバそのものがオーディオ用であることを示し、これ以外のとき、データ用であることを示す。
【００１１】
アドレスブロックＡＤＲは、ＣＤ−ＤＡ型であるか、マルチセッション型であるかの識別データが記録されている。具体的に、ＣＤ−ＤＡ型のRed Book規格に従っているとき、「１」が設定され、マルチセッション型のOrange Book規格に従っているとき、「５」が設定されている。
【００１２】
トラック番号ブロックＴＮＯには、リードインエリア３ａ，４ａを示す「０」が設定されている。
【００１３】
ポイントブロックＰＯＩＮＴには、アドレスブロックＡＤＲがＣＤ−ＤＡ型を示す「１」が設定されているとき、１６進数の「Ａ０」、「Ａ１」及び「Ａ２」並びに１０進数の「０１」〜「９９」が設定されている。「Ａ０」を設定したときに、秒成分ブロックＰｓｅｃに「＄００」又は「＄２０」を設定する場合は、分成分ブロックＰｍｉｎに最初のトラックナンバが設定される。秒成分ブロックＰｓｅｃに「＄１０」を設定する場合は、分成分ブロックＰｍｉｎに最後のトラックナンバ＋１が設定される。「Ａ１」が設定されたときには、分成分ブロックＰｍｉｎに最後のトラックナンバ又は最後のトラックナンバ＋１が設定され、秒成分ブロックＰｓｅｃ及びフレーム成分ブロックＰｆｒａｍｅは「０」が設定される。「Ａ２」が設定されたときには、分成分ブロックＰｍｉｎ、秒成分ブロックＰｓｅｃ及びフレーム成分ブロックＰｆｒａｍｅに、リードアウトエリア３ｃ，４ｃの開始時間が設定される。「０１」〜「９９」が設定されたときには、分成分ブロックＰｍｉｎ、秒成分ブロックＰｓｅｃ及びフレーム成分ブロックＰｆｒａｍｅに、各トラックの開始時間が設定される。
【００１４】
なお、ポイントブロックＰＯＩＮＴにＣ０が設定されたディスクでは、アドレスブロックＡＤＲが「１」に設定されているとき、分成分ブロックＭｉｎ、秒成分ブロックＳｅｃ及びフレーム成分ブロックＦｒａｍｅには、絶対時間が記録されている。すなわち、ＰＯＩＮＴにＣ０が設定されていないときには、分成分ブロックＭｉｎ、秒成分ブロックＳｅｃ及びフレーム成分ブロックＦｒａｍｅに絶対時間が記録されない。なお、以下、秒成分ブロックＳｅｃ及びフレーム成分ブロックＦｒａｍｅを単に「ＭＳＦ（Min,Sec,Frame）」ともいう。
【００１５】
また、ポイントブロックＰＯＩＮＴには、アドレスブロックＡＤＲが「５」に設定されているとき、「Ｂ０」、「Ｃ０」等が設定されている。「Ｂ０」が設定されているとき、ＭＳＦには、次のプログラムエリアの開始時間が記録されている。例えば、２セッションで構成されているとき、第１セッション３のポイントブロックＰＯＩＮＴに「Ｂ０」が設定されていると、ＭＳＦには、第２セッション４のプログラムエリア４ｂの開始時間が記録される。また、３セッションで構成されているときには、第１セッションのポイントブロックＰＯＩＮＴに「Ｂ０」が設定されていると、ＭＳＦは、第２セッションのプログラムエリア４ｂの開始時間を示し、第２セッションのポイントブロックＰＯＩＮＴに「Ｂ０」が設定されていると、ＭＳＦは、第３セッションのプログラムエリアの開始時間を示す。
【００１６】
また、「Ｂ０」が設定されているとき、分成分ブロックＰｍｉｎ、秒成分ブロックＰｓｅｃ及びフレーム成分ブロックＰｆｒａｍｅには、最も外側のリードアウトエリアの最大開始時間が記録されている。
【００１７】
「Ｃ０」は、最初のセッションのリードインエリアのポイントブロックＰＯＩＮＴに設定されることがある。「Ｃ０」が設定されているとき、分成分ブロックＰｍｉｎ、秒成分ブロックＰｓｅｃ及びフレーム成分ブロックＰｆｒａｍｅには、最初のリードインエリアの開始時間が記録されている。
【００１８】
以上のような、マルチセッション型コンパクトディスクは、専らＣＤ−ＤＡ型コンパクトディスク等に記録されたオーディオデータの再生を目的としたオーディオ専用再生装置に装着されたとき、第１のセッション３のみにアクセスし、第１のセッション３のリードインエリア３ａに記録されたＴＯＣデータを読み出した後、プログラムエリア３ｂに記録されたオーディオデータの読出を行う。オーディオ専用再生装置では、オーディオデータの再生を目的としているため、オーディオデータ以外が記録された第２のセッション４を再生することはできない。具体的に、オーディオ専用再生装置は、第１のセッションのリードインエリア３ａのＴＯＣデータを構成するポイントブロックＰＯＩＮＴの「Ｂ０」や「Ｂ０」のときのＭＳＦを無視し、第２のセッション４にアクセスすること無く第１のセッション３のプログラムエリア３ｂに記録されたオーディオデータの再生を開始する。したがって、ＣＤ−Ｅｘｔｒａ型コンパクトディスクを再生するときにも、オーディオ専用再生装置は、オーディオデータが記録された第１のセッションのみにアクセスし読み出したオーディオデータを再生する。
【００１９】
また、マルチセッション型のコンパクトディスクには、第１のセッション３にオーディオデータを記録している他、第２のセッション４にも、ＭＰ３（MPEG-1 Audio Layer3）等の音楽ファイルを格納したものがあり、オーディオ専用再生装置の中にも、ＣＤ−ＤＡ型コンパクトディスクのみならず、マルチセッション型コンパクトディスクにも対応したものがある。第２のセッション４に音楽ファイルが記録されているときには、オーディオデータの再生という点でＣＤ−ＤＡ型コンパクトディスクの規格のみに対応したオーディオ専用再生装置と目的が共通しているからである。このため、マルチセッション型に対応したオーディオ専用再生装置は、次に説明する複合再生装置と同様な動作をする。
【００２０】
マルチセッション型のコンパクトディスクが複合再生装置に装着されると、第１のセッション３や第２のセッション４のリードインエリア３ａ，４ａに記録されたＴＯＣデータの読出を行う。具体的に、複合再生装置は、第１のセッションのリードインエリア３ａのＴＯＣデータを構成するポイントブロックＰＯＩＮＴの「Ｂ０」や「Ｂ０」のときのＭＳＦを参照して、第２のセッション４のリードインエリア４ａのＴＯＣデータ、更に、第２のセッション４の外周に更にセッションがあるときにはそのセッションのＴＯＣデータの読出を開始し、ユーザの指定に応じたセッションのプログラムエリアに記録されたデータの再生を開始する。
【００２１】
ところで、光ディスクの中には、オーディオデータを記録したＣＤ−ＤＡ型コンパクトディスクに極めて類似しているものの、ＣＤ−ＤＡ型コンパクトディスクやマルチセッション型のコンパクトディスクの規格から外れた規格外光ディスクがある。この規格外光ディスクは、ＣＤ−ＤＡ型やマルチセッション型のコンパクトディスクの規格から外れているために、複合再生装置で再生することができない他、マルチセッション型に対応したオーディオ専用再生装置でも再生することができないことがある。
【００２２】
以下、この規格外光ディスクがコンパクトディスクの規格に外れている点を説明すると共に、マルチセッション型にも対応したオーディオ専用再生装置や複合再生装置がこの規格外光ディスクを再生することができない理由を説明する。
【００２３】
第１に、規格外光ディスクには、第１及び第２のセッション３，４のリードインエリア３ａ，４ａに記録されたＴＯＣデータのポイントブロックＰＯＩＮＴが「０１」〜「９９」で分成分ブロックＰｍｉｎ、秒成分ブロックＰｓｅｃ及びフレーム成分ブロックＰｆｒａｍｅに、各トラックの開始時間が設定されているときに、第２のセッション４側の各トラックの開始時間が第１のセッション３側の各トラックの開始時間と重複し、各トラックの再生時間を極めて短くした偽トラック情報が記録されていることがある。
【００２４】
すなわち、規格上、第１のセッションのプログラムエリア３ｂに書かれているトラックの開始時間は、第１のセッションのリードインエリア３ａのみに書かれてなければならず、また、第２のセッションのプログラムエリア４ｂに書かれているトラックの開始時間は、第２のセッションのリードインエリア４ａのみに書かれている必要がる。しかしながら、規格外ディスクでは第２のセッションのリードインエリア４ａに第１のセッションのプログラムエリア３ｂに書かれているトラックの開始時間が重複してかかれており、不正な情報となっていることがある。
【００２５】
更に、第２のセッション４側のコントロールブロックＣＮＴには、ＣＤ−ＤＡ型を示す「０」ではなくデータ用（ＲＯＭ型）を示す「１」が設定されていることがある。マルチセッション型にも対応したオーディオ専用再生装置や複合再生装置は、第１のセッション３のリードインエリア３ａに記録されたＴＯＣデータを読み出した後、ポイントブロックＰＯＩＮＴの「Ｂ０」に基づいて第２のセッション４のリードインエリア４ａにアクセスし、第２のセッション４のＴＯＣデータを読み出す。全てのセッションのＴＯＣデータを読み出した結果、マルチセッション型にも対応したオーディオ専用再生装置や複合再生装置は、第１のセッション３側の各トラックの時間と第２のセッション４側の各トラックの開始時間とが重複していると、後から読み出した第２のセッション４側のＴＯＣデータを上書きしてしまう。３セッション以上あるときにも、第３のセッションのＴＯＣデータの各トラックの開始時間が第１のセッションや第２のセッションのＴＯＣデータと重複していると、同様に、第３のセッションのＴＯＣデータで、先に読み出した第１、第２のセッションに属するトラックの開始時間を上書きしてしまうこともある。更に、マルチセッション型にも対応したオーディオ専用再生装置や複合再生装置は、第１のセッション３のコントロールブロックＣＮＴの設定を、ＣＤ−ＤＡ型を示す「０」であってもデータ用（ＲＯＭ型）を示す「１」に変更してしまう。
【００２６】
このような場合、マルチセッション型にも対応したオーディオ専用再生装置や複合再生装置は、仮に、コントロールブロックＣＮＴがＣＤ−ＤＡ型を示す「０」であっても、第１のセッション３のプログラムエリア３ｂに記録されたオーディオデータの再生時間は極めて短時間しか再生されないことになり、更に、コントロールブロックＣＮＴがデータ用（ＲＯＭ型）を示す「１」であるときには、ミュートされてしまい、再生音が放音されなくなってしまう。
【００２７】
第２に、規格外光ディスクには、第２のセッション４のリードインエリア４ａのＴＯＣデータのポイントブロックＰＯＩＮＴに「Ｂ０」が設定されているとき、ＭＳＦに、第３セッションのプログラムエリアの開始時間（図示せず）が記録されるのではなく、第２のセッションのプログラムエリアの開始時間が記録されていることがある。
【００２８】
ＭＳＦに、「Ｂ０」が設定されたポイントブロックＰＯＩＮＴの時間が記録されていると、リンク情報が誤っていることから、マルチセッション型にも対応したオーディオ専用再生装置や複合再生装置は、同じセッションのリードインエリア４ａのＴＯＣデータを繰り返し読み出し、無限ループに陥ってしまう。同様に第３のリードインエリアに記録されている「Ｂ０」ポインタのＭＳＦに第３のセッションのプログラムエリアの開始時間が記録されていることがあり、この場合は、第３のリードインエリアを繰り返して読み出し、無限ループに陥ってしまう。
【００２９】
第３に、規格外光ディスクには、第１のセッション３のリードインエリア３ａのＴＯＣデータのポイントブロックＰＯＩＮに「Ｃ０」が設定され、分成分ブロックＰｍｉｎ、秒成分ブロックＰｓｅｃ及びフレーム成分ブロックＰｆｒａｍｅに、正しい最初のリードインエリアの開始時間が記録されているが、アドレスブロックＡＤＲが「１」のときのＭＳＦに不正な絶対時間が記録されていることがある。
【００３０】
例えば、第１のセッション３のリードインエリア３ａのＴＯＣデータのポイントブロックＰＯＩＮに「Ｃ０」が設定され、分成分ブロックＰｍｉｎ、秒成分ブロックＰｓｅｃ及びフレーム成分ブロックＰｆｒａｍｅにリードインエリアの開始時間が絶対時間で「９５：００：００」と記録されているが、アドレスブロックＡＤＲが「１」のときのＭＳＦに、第１のセッション３のプログラムエリア３ｂの開始時間「００：００：００」近くの「０２：ｘｘ：ｙｙ」等の時間が記録されていることがある。ポイントブロックＰＯＩＮに「Ｃ０」が設定されている場合は、アドレスブロックＡＤＲが「１」のときのＭＳＦに絶対時間が記録されていることになっており、このＭＳＦに不正な絶対時間が記録されていると、マルチセッション型にも対応したオーディオ専用再生装置や複合再生装置は、第１のセッション３のリードインエリア３ａの位置を誤認し、リードインエリア３ａから抜け出せなくなり、無限ループに陥ることになる。
【００３１】
第４に、規格外光ディスクには、第１のセッション３のリードインエリア３ａのＴＯＣデータのポイントブロックＰＯＩＮに「Ｃ０」が設定され、ＭＳＦに、正しい最初のリードインエリアの開始時間が記録されているときで、第２のセッション４のリードインエリア４ａのＴＯＣデータのアドレスブロックＡＤＲが「１」のときのＭＳＦが前後のエリアと連続しない時間、例えば「ＦＦ：ＦＦ：ＦＦ」が記録されていることがある。規格外光ディスクが３セッション以上で構成されているときに、中間のセッションのリードインエリアのＴＯＣデータのアドレスブロックＡＤＲが「１」がときのＭＳＦに「ＦＦ：ＦＦ：ＦＦ」が紛れ込んでいると、マルチセッション型にも対応したオーディオ専用再生装置や複合再生装置は、光ピックアップの移動量等を計算することができなくなり、また、誤計算をしてしまい、そのリードインエリアから抜け出せなくなり無限ループに陥り、また、ディスクの最内周まで光ピックアップを移動させてしまう。これは、トラックジャンプ時等の動作途中に、上述の「ＦＦ：ＦＦ：ＦＦ」を検出したときも、同様である。
【００３２】
また、規格外光ディスクは、５番目として、再生時にバーストエラーが多く発生するようにデータが記録されたものがある。複合再生装置は、コンピュータプログラム等が記録されたＲＯＭ型のコンパクトディスクも再生可能である。複合再生装置は、ＲＯＭ型のコンパクトディスクに記録されたコンピュータプログラムを読み出すときに読出エラーが発生すると、パーソナル・コンピュータ等の情報処理装置に読み出されたコンピュータプログラムは、プログラムの一部が欠落し機能しなくなってしまう。そこで、複合再生装置は、読出エラーが発生したときには、読出の再試行をし又は読出動作を中止するようにしている。このため、複合再生装置では、規格外光ディスクに記録されたオーディオデータを再生することができなくなる。また、マルチセッション型にも対応したオーディオ専用再生装置も、複合再生装置の機能を流用したものが多く、したがって、規格外光ディスクに記録されたオーディオデータを再生することができなくなる。
【００３３】
また、マルチセッション型にも対応したオーディオ専用再生装置には、光ディスクに記録されたオーディオデータを光磁気ディスクを記録媒体に用いるディスクカートリッジに高速ダビングする機能を有するものがある。このオーディオ専用再生装置では、光ディスクのオーディオデータをディスクカートリッジに複写するときに、光ディスクから読み出したオーディオデータのエラー訂正処理を超えるバーストエラーが発生することがある。バーストエラーを補間処理したオーディオデータをディスクカートリッジの光磁気ディスクに記録すると、光ディスク１０に記録されたオーディオデータを正確に光磁気ディスクに複写することができなくなり、したがって、光磁気ディスクに複写したオーディオデータを再生したときには、音質等が劣化してしまう。このため、この種のオーディオ専用再生装置では、エラー訂正処理能力を超えるバーストエラーが発生したときには、直ちに補間処理を行うのではなく、ダビングするソースが記録された光ディスクの回転速度を落とし、読出処理を再試行するようにしている。
【００３４】
しかしながら、規格外光ディスクは、バーストエラーが予め多く発生するようにオーディオデータが記録されていることから、オーディオ専用再生装置は、実際にはバーストエラーが発生していなくても、光ディスクの回転数を落としてしまい、ディスクカートリッジへの複写を迅速に行うことができなくなってしまう。
【００３５】
規格外光ディスクは、以上のような問題点を有しているが、コンパクトディスク規格に準拠した光ディスクと外観上極めて類似しているものである。ユーザがオーディオデータで再生を目的として、マルチセッション型にも対応したオーディオ専用再生装置を所有しているときに、このユーザが、以上のような理由で専用再生装置でも再生することができない規格外光ディスクを、コンパクトディスクと誤って購入してしまうと、購入した規格外光ディスクに記録されたオーディオデータを視聴することができなくなってしまう。また、規格外光ディスクに記録されたオーディオデータをディスクカートリッジに複写するときにも、高速でダビングすることができないことがあり、不便なことがある。
【００３６】
【特許文献１】特開昭６０−１１９６７０号公報
【発明の開示】
【発明が解決しようとする課題】
【００３７】
本発明は、上述のような課題に鑑みてなされたものであり、その目的は、規格外の記録媒体の再生を可能にする記録媒体の再生装置及び再生方法を提供することにある。
【００３８】
具体的に、本発明の目的は、マルチセッション型の記録媒体の少なくとも一のセッションの再生を可能とする記録媒体の再生装置及び再生方法を提供することにある。
【００３９】
また、本発明の他の目的は、規格外の記録媒体に記録されたデータであっても高速再生を可能にし、例えば他の記録媒体に短時間で複写することができる記録媒体の再生装置及び再生方法を提供することにある。
【課題を解決するための手段】
【００４０】
本発明に係る再生装置は、リードインエリアとこのリードインエリアに次いで設けられるプログラムエリアとこのプログラムエリアに次いで設けられるリードアウトエリアとで１つのセッションを構成し、このセッションが複数設けられるマルチセッションの記録媒体の再生装置であり、各セッションのリードインエリアに記録された個別管理データを抽出し、各個別管理データに基づいて記録媒体全体の全体管理データを生成する生成手段と、生成手段が抽出した個別管理データ又は全体管理データを参照して一のセッションが再生可能であるかを判定する判定手段と、全体管理データに基づいてセッションのプログラムエリアに記録されたコンテンツデータを再生する再生手段とを備える。そして、判定手段が、生成手段が抽出した個別管理データ又は全体管理データを参照して一のセッションが再生不能と判定したとき、生成手段は、一のセッションを再生可能とする全体管理データを生成する。
【００４１】
また、本発明に係る再生方法は、リードインエリアとこのリードインエリアに次いで設けられるプログラムエリアとこのプログラムエリアに次いで設けられるリードアウトエリアとで１つのセッションを構成し、このセッションが複数設けられるマルチセッションの記録媒体の再生方法であり、各セッションのリードインエリアに記録された個別管理データを抽出し、各個別管理データに基づいて記録媒体全体の全体管理データを生成するステップと、個別管理データ又は全体管理データを参照して一のセッションが再生可能であるかを判定するステップと、個別管理データ又は全体管理データを参照して一のセッションが再生不能と判定したとき、一のセッションを再生可能とする全体管理データを再生成するステップと、再生成した全体管理データに基づいてセッションのプログラムエリアに記録されたコンテンツデータを再生するステップとを有する。
【発明の効果】
【００４２】
本発明によれば、判定手段が、生成手段が抽出した個別管理データ又は全体管理データを参照して一のセッションが再生不能と判定したとき、生成手段は、一のセッションを再生可能とする全体管理データを生成することから、装着された記録媒体が規格外であっても、生成した全体管理データに基づいて記録されたデータを再生することができる。
【発明を実施するための最良の形態】
【００４３】
以下、本発明を適用したコンパクトディスクの再生装置を図面を参照して説明する。本発明を適用したコンパクトディスクの再生装置は、ＣＤ−ＲＯＭ型コンパクトディスク等からコンピュータプログラム、コンピュータで処理される文書データ、図表データ等の読出を行うものではなく、専らオーディオデータの再生を目的としたＣＥ（Consumer Electronics）機器であり、ＣＤ−ＤＡ型コンパクトディスクやマルチセッション型であるＣＤ−Ｅｘｔｒａ型コンパクトディスク等の再生が可能な装置で、更に、上述の規格外光ディスクの再生を可能にする装置である。
【００４４】
図１に示すように、本発明を適用した再生装置１１は、規格外光ディスクやコンパクトディスク規格に準拠したコンパクトディスク等の光ディスク１０を回転するモータ１２と、モータ１２の回転を制御する回転制御部１３と、光ディスク１０に対して光ビームを出射し反射した戻りの光ビームを検出する光ピックアップ１４と、光ピックアップ１４を光ディスク１０の径方向に送り操作するスレッド機構１５と、光ピックアップ１４からの出力よりＲＦ信号等を生成するＲＦアンプ１６と、光ピックアップ１４の対物レンズのフォーカシングサーボ制御及びトラッキングサーボ制御を行うサーボ制御部１７とを備える。
【００４５】
また、再生装置１１は、ＲＦアンプ１６から出力されたＲＦ信号より同期信号を検出しクロックを生成する同期信号検出部１８と、ＥＦＭ変調されているオーディオデータ等の記録データを復調する復調部１９と、復調されたデータのエラー訂正処理を行うエラー訂正処理部２０と、エラー訂正処理部２０のエラー訂正能力を超えたエラーを補間する補間処理部２１と、ディジタルのオーディオデータ等の記録データをアナログに変換し出力端子２３より出力するディジタル／アナログ変換部（以下、単にＤ／Ａ変換部という。）２２とを備える。
【００４６】
更に、再生装置１１は、ＲＦ信号より復調部１９の前段でサブコードデータを抽出し復調するサブコード復調部２４と、サブコード復調部２４で復調したサブコードデータより抽出したＴＯＣデータを保存するＴＯＣ用メモリ２５と、ユーザによって操作される操作部２６と、装置の動作に関連した情報を表示する表示部２７と、全体の動作を制御する制御部２８とを備える。
【００４７】
モータ１２は、駆動軸にディスクテーブルが一体的に設けられており、光ディスク１０の回転駆動部となる。ディスクテーブルは、光ディスク１０のセンタ孔に係合することによって、光ディスク１０のセンタリングを図った状態でクランプする。そして、モータ１２は、ディスクテーブルと一体的に光ディスク１を回転する。なお、ここで、ディスクテーブルに装着される光ディスク１０は、主として、ＣＤ−ＤＡ型のコンパクトディスク、マルチセッション型のコンパクトディスク、上述の規格外光ディスクであるが、その他、コンパクトディスクより高密度記録されたディジタル・バーサタイル・ディスク、ブルーレイディスク等であってもよい。
【００４８】
回転制御部１３は、光ディスク１０が線速度一定に回転するようにモータ１２を駆動制御する。回転制御部１３は、同期信号より生成したクロックが水晶発振器からの基準クロックと周波数、位相と同期するように回転サーボ信号を生成し、この回転サーボ信号に基づいて光ディスク１０が線速度一定で回転するようにモータ１２を駆動制御する。なお、回転制御部１３は、線速度一定で光ディスク１０を回転する他に、角速度一定で光ディスク１０を回転するようにしてもよい。
【００４９】
光ピックアップ１４は、光ビームを出射する半導体レーザ、半導体レーザより出射された光ビームを集束する対物レンズ、光ディスク１０の反射膜で反射された戻りの光ビームを検出する光検出器等を備える。半導体レーザより出射された光ビームは、対物レンズにより集束され、光ディスク１０の信号記録面に照射される。光ディスク１０の信号記録面で反射された戻りの光ビームは、光検出器により電気信号に変換され、光検出器は、この電気信号をＲＦアンプ１６に出力する。また、対物レンズは、２軸アクチュエータ等の対物レンズ駆動機構に保持され、対物レンズの光軸と平行なフォーカシング方向及び対物レンズの光軸に直交するトラッキング方向に駆動変位される。
【００５０】
スレッド機構１５は、光ピックアップ１４を光ディスク１０の内外周に亘って直線的に移動させる。具体的に、スレッド機構１５は、待機時において、光ディスク１０の最内周側に位置させ、内周側から順次読出を行うとき、光ピックアップ１４を内周側から外周側に順に移動する。また、スレッド機構１５は、ユーザによって順方向又は逆方向のトラックジャンプ操作がされたとき、ユーザが指定したトラックの読出を行うことができるように、光ピックアップ１４を移動する。
【００５１】
ＲＦアンプ１６は、光ピックアップ１４を構成する光検出器からの出力信号に基づいて、ＲＦ信号、フォーカシングエラー信号及びトラッキングエラー信号を生成する。例えばフォーカシングエラー信号は、非点収差法等により生成され、トラッキングエラー信号は、３ビーム法、プッシュプル法等により生成される。ＲＦアンプ１６は、同期信号検出部１８を介してＲＦ信号をＥＦＭ変調されたデータを復調するため復調部１９に出力すると共に、フォーカシングエラー信号及びトラッキングエラー信号をサーボ制御部１７に出力する。
【００５２】
サーボ制御部１７は、ＲＦアンプ１６から入力されたフォーカシングエラー信号やトラッキングエラー信号に基づいて、これらのエラー信号がゼロとなるようなフォーカシングサーボ信号やトラッキングサーボ信号を生成し、これらのサーボ信号を光ピックアップ１４の対物レンズ駆動機構の駆動回路に出力する。これにより、対物レンズ駆動機構に保持された対物レンズは、フォーカシングサーボ信号やトラッキングサーボ信号に基づいて、対物レンズの光軸と平行なフォーカシング方向及び対物レンズの光軸に直交するトラッキング方向に駆動変位される。
【００５３】
同期信号検出部１８は、ＲＦアンプ１６より出力されたＲＦ信号より、フレーム同期信号（１１Ｔ，１１Ｔ’（’は反転を示す。），２Ｔのパターン又はこの逆パターン）を検出すると共に、サブコードを復調する際の同期信号を検出し、検出した同期信号を回転制御部１３に出力する。
【００５４】
復調部１９は、ＥＦＭのアルゴリズムに従ってオーディオデータ等の記録データを復調する。具体的に、復調部１９は、ＥＦＭ変換テーブルに従って、１４ビットの記録符号系列のデータビットを８ビットの系列のデータビットに変換し復調する。
【００５５】
エラー訂正処理部２０は、１２シンボルで構成された主信号データに次いで設けられた訂正用パリティに格納されたリードソロモン符号を用いて復号処理する。エラー訂正処理部２０は、ＣＩＲＣで用いられている２段のリードソロモン符号の内、最初のＣ１符号によってランダムエラーの訂正処理を行い、次いで、デインターリーブ処理を行い、次いで、Ｃ２符号を用いてバーストエラーの訂正処理を行い、補間処理部２１に出力する。補間処理部２１は、ＣＩＲＣのエラー訂正能力を超えたエラーの平均値補間等の補間処理を行うい、Ｄ／Ａ変換部２２に出力する。Ｄ／Ａ変換部２２は、補間処理部２１から入力されたディジタルデータをアナログデータに変換し、スピーカ、イヤホン、ヘッドフォン等の電気音響変換器が接続された出力端子２３に出力する。
【００５６】
サブコード復調部２４は、ＲＦアンプ１６で生成されたＲＦ信号より図１５等に示したＰチャンネルやＱチャンネルのサブコードを抽出する。このサブコードデータは、上述のＥＦＭ変換テーブルのアウトオブルールで変調されており、サブコード復調部２４は、ＥＦＭ変換テーブルのアウトオブルールで１４ビットの記録符号系列のデータビットを８ビットの系列のデータビットに変換し復調し、復調して得られたＴＯＣデータ等を制御部２８に出力する。
【００５７】
ＴＯＣ用メモリ２５は、サブコード復調部２４が復調したＴＯＣデータが制御部２８を保持する。具体的に、ＴＯＣ用メモリ２５には、光ディスク１０のリードインエリアに格納されたサブコードのＱチャンネルのデータが格納される。再生装置１１は、光ディスク１０がディスクテーブルに装着されると、光ディスク１０の最内周のリードインエリアにアクセスし、リードインエリアに記録されたＴＯＣデータを読み出す。ＴＯＣ用メモリ２５は、光ディスク１０が装着されて最初にＴＯＣデータを読み出してから光ディスク１０が取り出され又は電源がオフされるまでＴＯＣデータを保存する。
【００５８】
操作部２６は、光ディスク１０を再生するための再生開始、再生停止、順方向又は逆方向トラックジャンプ、再生停止、再生一時停止等の機能を実行するための押しボタン、ダイヤル等で構成されている。操作部２６は、ユーザによって操作されると、操作信号を発生し、発生した操作信号を制御部２８に入力する。
【００５９】
表示部２７は、液晶表示パネル等で構成されており、ＴＯＣ用メモリ２５に保存されているＴＯＣデータに基づいて再生時間、再生中のトラックナンバ、タイトル等を文字、記号等を用いて表示する。
【００６０】
制御部２８は、再生装置１１の機能を実現するためのプログラム等が格納されたＲＯＭ（Read Only Memory）、ＲＯＭに保存されたプログラム、ＴＯＣ用メモリ２５から読み出したＴＯＣデータ等が一時的にロードされるＲＡＭ（Random Access Memory）、ＲＯＭに格納されたプログラム等に応じて演算するＣＰＵ（Central Processing Unit）等で構成されている。制御部２８は、操作部２６から入力された操作信号に応じて全体の動作を制御する。例えば、操作部２６よりトラックジャンプの操作信号が入力されたとき、制御部２８は、スレッド機構１５を駆動し、光ピックアップ１４を、指定されたトラックの先頭位置まで移動する。また、制御部２８は、操作部２６より再生開始信号が入力されると、スレッド機構１５を駆動し、光ピックアップ１４を、光ディスク１０の内周側から順に移動させる。
【００６１】
次に、光ディスク１０がディスクテーブルに装着され再生に至るまでの動作について説明する。図２に示すように、制御部２８は、ステップＳ１において、光ディスク１０が回転駆動部を構成するディスクテーブルに装着され、光ディスク１０がディスクテーブルに装着されたことを検出すると、モータ１２を線速度一定でディスクテーブルに装着された光ディスク１０を回転する。これと共に、制御部２８は、光ピックアップ１４を駆動する。すなわち、光ピックアップ１４は、光ビームを光ディスク１０に出射し、光ディスク１０の信号記録面で反射された戻りの光ビームは、光検出器により電気信号に変換され、光検出器は、この電気信号をＲＦアンプ１６に出力する。ＲＦアンプ１６は、ＲＦ信号を生成し同期信号検出部１８及び復調部１９に出力すると共に、フォーカシングエラー信号とトラッキングエラー信号を生成し、サーボ制御部１７に出力する。サーボ制御部１７は、フォーカシングエラー信号に基づき、フォーカシングサーボ信号を生成し、また、トラッキングエラー信号に基づき、トラッキングサーボ信号を生成し、これらのエラー信号を、光ピックアップ１４を構成する対物レンズ駆動機構の駆動回路に出力する。そして、光ピックアップ１４は、対物レンズ駆動機構を駆動し、対物レンズを光ビームの光軸方向に駆動変位させることによってフォーカシング制御を行い、対物レンズを光ビームの光軸に直交する方向に駆動変位させることによってトラッキング制御を行う。
【００６２】
制御部２８は、ステップＳ２において、最初に、光ディスク１０の最内周の、すなわち第１のセッションのリードインエリアに記録されたＴＯＣデータの読出を行う。具体的に、制御部２８は、光ピックアップ１４をディスクテーブルに装着された光ディスク１０の最内周に移動させる。ここで、光ピックアップ１４は、光ビームを出射し、光ディスク１０で反射された戻りの光ビームを検出することによって光電変換し、ＲＦアンプ１６に出力する。そして、サブコード復調部２４は、ＲＦ信号の中からサブコードデータを抽出し、１４ビットの記録符号系列のデータビットを８ビットの系列のデータビットに変換復調し制御部２８に出力する。第１のセッションのＴＯＣデータの読み出しが完了すると、制御部２８は、ステップＳ３において、次のセッション、すなわち第２のセッションまで光ピックアップ１４を移動させ、第２のセッションのリードインエリアにアクセスし、第２のセッションのＴＯＣデータの読出を行い、順次ＴＯＣ用メモリ２５に保存する。なお、３以上のセッションがあるとき、制御部２８は、内周側のセッションから順にアクセスし、各セッションのＴＯＣデータを抽出する。
【００６３】
次いで、制御部２８は、装着された光ディスク１０が規格外光ディスクであるかどうかの判断を、ステップＳ３〜ステップＳ６に基づいて行う。制御部２８は、ステップＳ３において、第１及び第２のセッションのリードインエリアに記録されたＴＯＣデータのポイントブロックＰＯＩＮＴが「０１」〜「９９」で分成分ブロックＰｍｉｎ、秒成分ブロックＰｓｅｃ及びフレーム成分ブロックＰｆｒａｍｅに、各トラックの開始時間が設定されているときに、第２のセッション側の各トラックの開始時間が第１のセッション側の各トラックの時間と重複し、各トラックの再生時間を極めて短くした偽トラック情報が記録されているかを判断する。
【００６４】
また、制御部２８は、ステップＳ４において、第２のセッションのリードインエリアのＴＯＣデータのポイントブロックＰＯＩＮＴに「Ｂ０」が設定されているとき、ＭＳＦに、第３セッション４のプログラムエリアの開始時間でない偽リンク情報が記録されているかを判断する。
【００６５】
また、制御部２８は、ステップＳ５において、規格外光ディスクには、第１のセッションのリードインエリアのＴＯＣデータのポイントブロックＰＯＩＮに「Ｃ０」が設定され、ＭＳＦに、正しい最初のリードインエリアの開始時間が記録されているときに、アドレスブロックＡＤＲが「１」のときのＭＳＦに不正な絶対時間が記録されているかを判断する。更に、制御部２８は、ステップＳ６において、第１のセッションのリードインエリアのＴＯＣデータのポイントブロックＰＯＩＮに「Ｃ０」が設定され、ＭＳＦに、正しい最初のリードインエリアの開始時間が記録されているときで、第２のセッションのリードインエリアのＴＯＣデータのアドレスブロックＡＤＲが「１」のときのＭＳＦが前後のエリアと連続しない誤った時間が記録されているかを判断する。
【００６６】
かくして、制御部２８は、ＴＯＣデータに基づいて、回転駆動部のディスクテーブルに装着された光ディスク１０が先ず最初に規格外光ディスクであるかを判断する。以下、ステップＳ３からステップＳ６について詳細に説明する。
【００６７】
先ず、ステップＳ３は、上述した第１の問題点を解決するための処理であり、その詳細を図３に示す。ステップＳ１１において、制御部２８は、第１のセッションのＴＯＣデータに含まれる第１のセッションの各トラックの開始時間が他のセッションのＴＯＣに含まれる各トラックの開始時間と重複するかどうかを判断する。
【００６８】
具体例を図４を用いて説明する。図４（Ａ）に示すように、光ディスク１０の第１のセッションのＴＯＣデータには、トラック１が２秒から開始し、トラック２が４分から開始し、トラック３が８分から開始し、これらのトラックは、全てオーディオデータであることが記録されている。また、第２のセッションには、トラック１が２秒から開始し、トラック２が１２秒から開始し、トラック３が２２秒から開始し、これらのトラックは、全てデータ用（ＲＯＭ型）であることが記録されている。この例では、第１のセッションのリードインエリアに書かれた各トラックの開始時間やトラックの属性（オーディオかＲＯＭ）の情報が、第２のセッションのリードインエリアにも書かれ、なおかつ、その内容が第１のセッションのリードインエリアに書かれていた情報と異なる。すなわち、規格上、第１のセッションのプログラムエリアに書かれているトラックの開始時間は、第１のセッションのリードインエリアのみに記録されていなければならず、また、第２のセッションのプログラムエリアに書かれているトラックの開始時間は、第２のセッションのリードインエリアのみに書かれている必要がる。しかしながら、この規格外ディスクでは、第２のセッションのリードインエリアに第１のセッションのプログラムエリアに書かれているトラックの開始時間が重複してかかれており、なおかつ、その情報が不正である。
【００６９】
この場合、制御部２８は、第１のセッションの各トラックの開始時間が第２のセッションの各トラックの開始時間が重複していると判断し、ステップＳ１２に進む。なお、制御部２８は、第１のセッションの各トラックの開始時間が第２のセッションの各トラックの開始時間が重複していないとき、ステップＳ１３に進む。
【００７０】
ステップＳ１２において、制御部２８は、第２のセッション以降のＴＯＣデータを無視し、ステップＳ１３において、第２のセッション以降のＴＯＣデータを無視した光ディスク１０の全体の管理情報を生成し、ＴＯＣ用メモリ２５に格納する。具体的に、図４（Ｂ）に示すように、制御部２８は、トラック１が２秒から開始し、トラック２が４分から開始し、トラック３が８分から開始し、これらのトラックは、全てオーディオデータであること示すＴＯＣデータを全体管理情報としてＴＯＣ用メモリ２５に格納する。これにより、制御部２８は、装着された光ディスク１０を、実際にはマルチセッション型コンパクトディスクに類似した規格外光ディスクであるにもかかわらず、ＣＤ−ＤＡ型コンパクトディスクのようなシングルセッションの光ディスク１０とみなし、ＴＯＣ用メモリ２５に格納された第１のセッションのＴＯＣデータのみで構成された全体管理情報に基づいて光ディスク１０を管理し再生可能な状態にする。ステップＳ１１で制御部２８が１のセッションの各トラックの情報、すなわち開始時間だけでなく、オーデイオあるいはＲＯＭの属性が書かれてい情報が第２のセッションの各トラックの情報と重複していないときは、第２のセッションのＴＯＣデータが正しく記録されている場合であり、この場合、制御部２８は、第２のセッションのＴＯＣデータを無視すること無く、第２のセッション、更に多くのセッションが存在するときには全てのセッションのＴＯＣデータを読み出し、光ディスク１０の全体の管理情報を生成し、ＴＯＣ用メモリ２５に保存する。
【００７１】
なお、従来のマルチセッション型にも対応したオーディオ専用再生装置や複合再生装置は、図４（Ｃ）に示すように、第１のセッションのＴＯＣデータを読み出した後第２のセッションのＴＯＣデータを読み出したとき、第１のセッションと各トラックに割り振られた各トラックの情報が第２のセッションの各トラックに割り当てられた各トラックの情報と重複していることから、第２のセッションのＴＯＣデータを第１のセッションのＴＯＣデータに上書きしてしまう。したがって、従来のマルチセッション型にも対応したオーディオ専用再生装置や複合再生装置では、第１のセッションにはトラック１が２秒から開始し、トラック２が１２秒から開始し、トラック３が２２秒から開始する極めて短いトラックのデータが記録されているといった誤った判断をし、更に、これらのトラックが全てデータ用（ＲＯＭ型）であることが記録されていることから、ミュートし再生音も放音されない。すなわち、従来の装置は、この光ディスク１０が再生不能となる。
【００７２】
以上のような処理に基づくことにより、制御部２８は、第２のセッション以降のＴＯＣデータに偽トラック情報が記録された規格外の光ディスク１０を検出することができ、規格外光ディスク１０であっても、第１のセッションのＴＯＣデータを光ディスク１０全体のＴＯＣデータとして取り扱うことで、オーディオデータが記録された第１のセッションを再生することができる。
【００７３】
次に、図２に示したステップＳ４の処理について図５を参照して説明する。ステップＳ４の処理は、上述した第２の問題点を解決するための処理である。具体的に、制御部２８は、ステップＳ２１において、第２のセッションのリードインエリアに記録されたＴＯＣデータに含まれる「Ｂ０」ポインタを検出したかを判断する。そして、制御部２８は、「Ｂ０」ポインタを検出したとき、ＭＳＦの読出を行い、ステップＳ２２に進み、「Ｂ０」ポインタを検出しなかったとき、ＣＤ−ＤＡ型のコンパクトディスク等のシングルセッションのコンパクトディスクであると判断し、ステップＳ２４に進む。
【００７４】
ところで、マルチセッション型のコンパクトディスクでは、１つのセッションのサイズが、リードインエリアが６０秒、リードアウトエリアが３０秒と規定されていることから、プログラムエリアを含めると少なくとも９０秒以上となる。そこで、制御部２８は、ステップＳ２３において、「Ｂ０」ポインタが示す次のセッションのプログラムエリアの開始時間が、現在のセッションのプログラムの開始時間から所定時間、ここでは９０秒以上離れているかどうかを判断する。すなわち、制御部２８は、次のセッションのプログラムエリアの開始アドレスまでの規格上の最低限の時間間隔があるかを判定する。そして、制御部２８は、ＭＳＦが現在位置より９０秒以上離れた位置を示しているとき、ディスクテーブルに装着された光ディスク１０が正規なマルチセッション型のコンパクトディスクであると判断し、ステップＳ２３に進み、他の処理を続行し、光ディスク１０が再生可能な状態にする。すなわち、制御部２８は、第２のセッションのＴＯＣデータを無視すること無く、第２のセッション、更に多くのセッションが存在するときには全てのセッションのＴＯＣデータを読み出し、光ディスク１０の全体の管理情報を生成し、ＴＯＣ用メモリ２５に保存する。
【００７５】
また、制御部２８は、ＭＳＦが現在位置より９０秒以上離れた位置を示していないとき、ディスクテーブルに装着された光ディスク１０が規格外光ディスクであると判断し、ステップＳ２４に進む。ステップＳ２４において、制御部２８は、ポイントブロックＰＯＩＮＴに記録されたＢ０をポインタを無視する。すなわち、制御部２８は、「Ｂ０」ポインタを無視することによって、それ以上セッションが記録されていない光ディスク１０と判断し、それまでにＴＯＣ用メモリ２５に格納されたセッションのＴＯＣデータのみで構成された全体管理情報に基づいて光ディスク１０を管理し再生可能な状態にする。例えば、３番目のセッションの「Ｂ０」ポインタが不正な場合は２番目のセッションのリードインエリアまでに書かれた情報から全体管理情報を作成する。
【００７６】
以上のような処理によれば、制御部２８は、「Ｂ０」ポインタのＭＳＦに「Ｂ０」ポインタの偽リンク情報が記録されているときであっても、オーディオデータが記録された第１のセッションを再生することができる。
【００７７】
次に、図２に示したステップＳ５の処理について図６を参照して説明する。ステップＳ５の処理は、上述した第３の問題点を解決する処理である。コンパクトディスクでは、第１のセッションのプログラムエリアの開始位置に絶対時間の「００：００：００」が割り振られ、絶対時間が最大値、例えば８０分まで外周側に向かって漸次絶対時間が増大するように付与されている。そして、第１のセッションのリードインエリアでは、アドレスブロックＡＤＲが「１」のときのＭＳＦに、コンパクトディスクの規格の最大値である９９分５９秒７４フレームで終了するように最内周から漸次増大するように、例えば９９分台に付与されている。
【００７８】
制御部２８は、ステップＳ３１において、第１のセッションのリードインエリアのＴＯＣデータのポイントブロックＰＯＩＮＴに「Ｃ０」が設定されているかを判断し、「Ｃ０」ポインタがあるとき、ステップＳ３２に進み、「Ｃ０」ポインタが無いとき、ステップＳ３７に進む。ステップＳ３２において、制御部２８は、「Ｃ０」ポインタの分成分ブロックＰｍｉｎ、秒成分ブロックＰｓｅｃ及びフレーム成分ブロックＰｆｒａｍｅより絶対時間で記述されたリードインエリアの開始時間を読み出し、第１のセッションのリードインエリアの開始位置を特定する。ステップＳ３３において、制御部２８は、アドレスブロックＡＤＲが「１」のときのＭＳＦ、すなわち絶対時間を読み出す。ステップＳ３４において、制御部２８は、ポイントブロックＰＯＩＮＴが「Ａ２」のときの分成分ブロックＰｍｉｎ、秒成分ブロックＰｓｅｃ及びフレーム成分ブロックＰｆｒａｍｅより絶対時間で記述された第１のセッションのリードアウトエリアの開始時間を読み出す。
【００７９】
ステップＳ３５において、制御部２８は、アドレスブロックＡＤＲが「１」のときのＭＳＦが第１のセッションのリードアウトエリアの開始時間より内周を示しているかを判断する。例えば、制御部２８は、リードアウトエリアの開始アドレスが「３０：００：００」のとき、アドレスブロックＡＤＲが「１」のときのＭＳＦが「０２：ｘｘ：ｙｙ」であると、アドレスブロックＡＤＲが「１」のときのＭＳＦが第１のセッションのリードアウトエリアの開始時間より内周を示していると判断する。これとは逆に、制御部２８は、アドレスブロックＡＤＲが「１」のときのＭＳＦが「９９：ｘｘ：ｙｙ」であると、アドレスブロックＡＤＲが「１」のときのＭＳＦが第１のセッションのリードアウトエリアの開始時間より内周を示していない、すなわち外周を示していると判断する。コンパクトディスク規格に合った光ディスクは、アドレスブロックＡＤＲが「１」のときのＭＳＦが第１のセッションのリードアウトエリアの開始時間より外周を示している。したがって、制御部２８は、アドレスブロックＡＤＲが「１」のときのＭＳＦが第１のセッションのリードアウトエリアの開始時間より内周を示しているとき、規格外光ディスクが装着されていると判断して、ステップＳ３６に進み、アドレスブロックＡＤＲが「１」のときのＭＳＦが第１のセッションのリードアウトエリアの開始時間より内周を示していないとき、コンパクトディスク規格に準拠した光ディスク１０が装着されたと判断してステップＳ３８に進み、通常の場合と同様に他の処理を続行する。
【００８０】
装着された光ディスク１０が規格外光ディスクであると判断したとき、制御部２８は、ステップＳ３６において、アドレスブロックＡＤＲが「１」のときのＭＳＦを無視し、ステップＳ３７に進む。
【００８１】
ステップＳ３７において、制御部２８は、第１のセッションのＴＯＣデータをＴＯＣ用メモリ２５に保存し、光ピックアップ１４少しずつ外周側にトラックジャンプさせてプログラムエリアの開始位置を検出する。これは、ＴＯＣデータのポイントブロックＰＯＩＮＴに「Ｃ０」が設定されていないコンパクトディスクを再生するときの処理と同様である。
【００８２】
以上のような処理によれば、制御部２８は、アドレスブロックＡＤＲが「１」のときのＭＳＦが第１のセッションのリードアウトエリアの開始時間より内周を示しているかを判断することで、装着された光ディスク１０が規格外光ディスクであるかどうかを判断することができ、規格外光ディスクが装着されたときであっても、アドレスブロックＡＤＲが「１」のときのＭＳＦを無視することで、ＴＯＣデータのポイントブロックＰＯＩＮＴに「Ｃ０」が設定されていないコンパクトディスクを再生するときの処理と同様な処理で規格外光ディスクを再生することができる。
【００８３】
次に、図２に示したステップＳ６の処理について図７を参照して説明する。ステップＳ６の処理は、上述した第４の問題点を解決する処理である。制御部２８は、ステップＳ４１において、第１のセッションのリードインエリアにアクセスし、第１のセッションのリードインエリアのＴＯＣデータのポイントブロックＰＯＩＮＴに「Ｃ０」を検出すると、次いで、ステップＳ４２において、「Ｃ０」ポインタの分成分ブロックＰｍｉｎ、秒成分ブロックＰｓｅｃ及びフレーム成分ブロックＰｆｒａｍｅより絶対時間で記述されたリードインエリアの開始時間を読み出し、第１のセッションのＴＯＣデータを読み出す。
【００８４】
次いで、制御部２８は、第２のセッションがあるとき、ステップＳ４３において、第２のセッションのリードインエリアにアクセスし、ステップＳ４４において、アドレスブロックＡＤＲが「１」のときのＭＳＦ、すなわち絶対時間を読み出す。そして、制御部２８は、ステップＳ４５において、読み出した絶対時間が前後と連続しない時間、例えば「ＦＦ：ＦＦ：ＦＦ」であるかを判断し、「ＦＦ：ＦＦ：ＦＦ」であるとき、ステップＳ４６に進み、「ＦＦ：ＦＦ：ＦＦ」でないとき、ステップＳ４９に進む。すなわち、コンパクトディスク規格に従った光ディスクは、連続して絶対時間が付与されており、非連続とはならない。そこで、制御部２８は、アドレスブロックＡＤＲが「１」のときのＭＳＦが「ＦＦ：ＦＦ：ＦＦ」があるかを判断することで、装着された光ディスク１０が正規な光ディスク１０であるかどうかを判断する。制御部２８は、「ＦＦ：ＦＦ：ＦＦ」があるとき、規格外光ディスクであると判断して、ステップＳ４６に進み、「ＦＦ：ＦＦ：ＦＦ」が無いとき、コンパクトディスク規格に準拠した光ディスク１０が装着されたと判断してステップＳ４９に進み、通常の場合と同様に他の処理を続行する。
【００８５】
装着された光ディスク１０が規格外光ディスクであると判断したとき、制御部２８は、ステップＳ４７において、アドレスブロックＡＤＲが「１」のときの「ＦＦ：ＦＦ：ＦＦ」を無視し、ステップＳ４７に進む。ステップＳ４７において、制御部２８は、アドレスブロックＡＤＲが「１」の検出を繰り返し、所定回数、例えば６回アドレスブロックＡＤＲを検出しても、そのＭＳＦに正規な絶対時間が記録されていないとき、ステップＳ４８に進む。また、制御部２８は、所定回数内に、正しいアドレスブロックＡＤＲが「１」のときのＭＳＦを検出すると、ステップＳ４４に戻り、再度、「ＦＦ：ＦＦ：ＦＦ」の検出を繰り返す。
【００８６】
ステップＳ４８において、制御部２８は、第２のセッションのＴＯＣデータをＴＯＣ用メモリ２５に保存し、光ピックアップ１４少しずつ外周側にトラックジャンプさせて第２のセッションのプログラムエリアの開始位置や更に外周側のセッションのリードインエリアにアクセスする。
【００８７】
以上のような処理によれば、制御部２８は、所定回数、アドレスブロックＡＤＲが「１」を検出する中で正規なＭＳＦが無いときには、光ピックアップ１４少しずつ外周側にトラックジャンプさせ、正しいＭＳＦを検出するようにすることで、規格外光ディスクであってもＴＯＣデータを確実に読み出すことができる。
【００８８】
なお、図７の例では、処理の簡素化を図るため、ステップＳ４７の処理を省略して、アドレスブロックＡＤＲが「１」のときのＭＳＦが「ＦＦ：ＦＦ：ＦＦ」であれば、規格外の光ディスクが装着されていると判断して、直ちにステップＳ４８に進むようにしてもよい。
【００８９】
また、第１のセッションのリードインエリアではなく、２番目以降のセッションのリードインエリアに、絶対時間が前後と連続しない時間、例えば「ＦＦ：ＦＦ：ＦＦ」が記録されている場合は、再生中のセッションから他のセッションのトラックにトラックジャンプする際に、「ＦＦ：ＦＦ：ＦＦ」を検出すると、制御部２８は、現在アクセスしている位置を特定することができなくなってしまう。したがって、制御部２８は、再生中に他のセッションに移動するようなトラックジャンプを行う際に、「ＦＦ：ＦＦ：ＦＦ」を検出したときにも、正しいＭＳＦを検出することができるまで光ピックアップ１４少しずつ外周側にトラックジャンプさせるようにしてもよい。
【００９０】
以上のように、再生装置１１は、装着された光ディスク１０が規格外光ディスクであるかを判断し、コンパクトディスク規格に合致した光ディスクが装着されているとき、通常通り、ＴＯＣデータを読み出し、ＴＯＣ用メモリ２５に保存し、規格外光ディスクが装着されているとき、上述の処理により第１のセッションのＴＯＣデータをＴＯＣ用メモリに保存する。次いで、例えばユーザにより操作部２６を構成する再生ボタンが押されると、制御部２８は、光ピックアップ１４を駆動し、ＴＯＣ用メモリ２５に保存されたＴＯＣデータに基づいて、第１のセッションのプログラムエリアの開始位置にアクセスし、アドレス順に記録されているオーディオデータの読み出しを行う。
【００９１】
具体的に、光ピックアップ４は、光ビームを光ディスク１０に照射し、光ディスク１０で反射された戻りの光ビームを検出し、光電変換しＲＦアンプ１６に出力する。ＲＦアンプ１６で生成されたＲＦ信号は、復調部１９で入力された１４ビットの記録符号系列のデータビットから８ビットの系列のデータビットに変換され、エラー訂正処理部２０で訂正用パリティに格納されたリードソロモン符号を用いて復号処理され、エラー訂正能力を超えたエラーの補間処理がなされた後、Ｄ／Ａ変換部２２でディジタルデータからアナログデータに変換され、スピーカ、イヤホン、ヘッドフォン等の電気音響変換器が接続された出力端子２３に出力される。かくして、光ディスク１０の第１のセッションに記録された一又は複数のオーディオデータは、電気音響変換器より再生音として放音される。
【００９２】
以上のように構成された再生装置では、図２のステップＳ３〜ステップＳ６に示すような処理で回転駆動部のディスクテーブルに装着された光ディスク１０が正規なコンパクトディスクであるか規格外光ディスクであるかを判別することができ、更に、規格外光ディスクであっても、規格に外れている部分のデータを無視するようにすることで、少なくとも一又は複数のオーディオデータが記録されている第１のセッションの再生を行うことができる。
【００９３】
次に、本発明の他の例として、コンパクトディスクの再生機能と光磁気ディスクを記録媒体に用いるディスクカートリッジの記録再生機能とを備えた記録再生装置を、図８を参照して説明する。なお、上述の再生装置１１と同様な構成については同一符号を付しその詳細は省略する。
【００９４】
図８に示すように、本発明を適用した記録再生装置５０は、コンパクトディスクを再生する再生部５１と、光磁気ディスク１０１を回転可能に収納したディスクカートリッジ１００の記録再生をする記録再生部５２と、全体の動作を制御するシステムコントローラ５３とから構成されている。また、記録再生装置５０は、ユーザによって操作される操作部５４と、装置の動作に関連した情報を表示する表示部５５とを備えている。
【００９５】
操作部５４は、光ディスク１０やディスクカートリッジ１００を再生するための再生開始、再生停止、順方向又は逆方向トラックジャンプ、再生停止、再生一時停止等の機能を実行するための押しボタン、ダイヤル等で構成されている。また、操作部５４は、光ディスク１０に記録されているオーディオデータをディスクカートリッジ１００の光磁気ディスク１０１にダビングするためのダビングボタンを有する。操作部５４は、ユーザによって操作されると、操作信号を発生し、発生した操作信号をシステムコントローラ５３に入力する。
【００９６】
表示部５５は、液晶表示パネル等で構成されており、ＴＯＣ用メモリ２５に保存されているＴＯＣデータに基づいて再生時間、再生中のトラックナンバ、タイトル等を文字、記号等を用いて表示する。
【００９７】
コンパクトディスクの再生をする再生部５１は、上述の再生装置１１とほぼ同様な構成を有し、格外光ディスクやコンパクトディスク規格に準拠したコンパクトディスク等の光ディスク１０を回転するモータ１２と、モータ１２の回転を制御する回転制御部１３と、光ディスク１０に対して光ビームを出射し反射した戻りの光ビームを検出する光ピックアップ１４と、光ピックアップ１４を光ディスク１０の径方向に送り操作するスレッド機構１５と、光ピックアップ１４からの出力よりＲＦ信号等を生成するＲＦアンプ１６と、光ピックアップ１４の対物レンズのフォーカシングサーボ制御及びトラッキングサーボ制御を行うサーボ制御部１７とを備える。ここで、回転制御部１３は、光ディスク１０が線速度一定に回転するようにモータ１２を定速で駆動制御する他、光ディスク１０に記録されているオーディオデータをディスクカートリッジ１００にダビングするとき、２倍速、４倍速等で光ディスク１０を高速回転する制御を行う。
【００９８】
また、再生部５１は、ＲＦアンプ１６から出力されたＲＦ信号より同期信号を検出しクロックを生成する同期信号検出部１８と、ＥＦＭ変調されているオーディオデータ等の記録データを復調する復調部１９と、復調されたデータのエラー訂正処理を行うエラー訂正処理部２０と、エラー訂正処理部２０のエラー訂正能力を超えたエラーを補間する補間処理部２１と、ディジタルのオーディオデータ等の記録データをアナログに変換し出力端子２３より出力するＤ／Ａ変換部２２とを備える。
【００９９】
更に、再生部５１は、ＲＦ信号より復調部１９の前段でサブコードデータを抽出し復調するサブコード復調部２４と、サブコード復調部２４で復調したサブコードデータより抽出したＴＯＣデータを保存するＴＯＣ用メモリ２５とを備える。
【０１００】
更に、再生部５１は、エラー訂正処理部２０のエラー訂正能力を超えたバーストエラーを検出するエラー検出部２９を備える。このエラー検出部２９は、Ｃ２符号を用いたバーストエラーの訂正処理を超えたＣ２エラーの数を検出し、システムコントローラに出力する。
【０１０１】
なお、再生部５１は、更に、ＣＤ−Ｒ型コンパクトディスク、ＣＤ−ＲＷ型コンパクトディスクの記録機能を備えていても良い。
【０１０２】
また、ディスクカートリッジ１００の記録再生をする記録再生部５２は、ディスクカートリッジ１００の光磁気ディスク１０１を回転するモータ６１と、モータ６１の回転を制御する回転制御部６２と、光磁気ディスク１０１に対して光ビームを出射し反射した戻りの光ビームを検出する光ピックアップ６３と、光ピックアップ６３からの出力よりＲＦ信号等各種信号を生成するＲＦアンプ６５と、光ピックアップ６３、モータ６１等を駆動するドライバ６６と、光ピックアップ６３等のサーボ信号を生成するサーボ制御部６７と、ＲＦアンプ６５からグルーブ情報信号が供給されるアドレスデコーダ６８と、変調及び復調処理並びにエラー訂正符号化及び復号化処理を行うＥＦＭ／ＣＩＲＣエンコーダ／デコーダ６９と、記録及び／又は再生用のデータを一時的に蓄積する耐震用メモリとなるバッファメモリ７０の書込及び読出を制御する耐振用メモリコントローラ７１と、データの圧縮伸長処理をする圧縮エンコーダ／デコーダ７２と、ディジタル信号をアナログ信号に変換するディジタル／アナログ変換部（以下、単にＤ／Ａ変換部という。）７３と、記録データを出力する出力端子７４と、光磁気ディスク１０１に対して磁界を印加しオーディオデータを記録する磁気ヘッド７５と、磁気ヘッド７５の駆動制御を行うヘッド駆動部７６とを備える。
【０１０３】
モータ１２は、駆動軸にマグネットが内蔵されたディスクテーブルが一体的に取り付けられており、光磁気ディスク１０１の回転駆動部となる。ディスクカートリッジ１００には、下面略中央に中央開口部が設けられており、ディスクテーブルは、この中央開口部よりディスクカートリッジ１００内に進入し、光磁気ディスク１０１の中央に取り付けられたクランピングプレートを磁気吸引し、光磁気ディスク１０１を一体的に回転できるようにする。
【０１０４】
回転制御部６２は、光磁気ディスク１０１が線速度又は角速度一定に回転するようにモータ１２を駆動制御する。また、回転制御部６２は、光ディスク１０に記録されているオーディオデータをディスクカートリッジ１００の光磁気ディスク１０１にダビングするとき、２倍速、４倍速等で光磁気ディスク１０１を高速回転する制御を行う。
【０１０５】
光ピックアップ６３は、光ビームを出射する半導体レーザ、半導体レーザより出射された光ビームを集束する対物レンズ、光磁気ディスク１０１の反射膜で反射された戻りの光ビームを検出する光検出器等を備える。半導体レーザより出射された光ビームは、対物レンズにより集束され、ディスクカートリッジ１００の下面の前面側に設けられた略矩形の記録再生用の開口部を介して光磁気ディスク１０１の信号記録面に照射される。光磁気ディスク１０１の信号記録面で反射された戻りの光ビームは、光検出器により電気信号に変換され、光検出器は、この電気信号をＲＦアンプ６５に出力する。また、対物レンズは、２軸アクチュエータ等の対物レンズ駆動機構に保持され、対物レンズの光軸と平行なフォーカシング方向及び対物レンズの光軸に直交するトラッキング方向に駆動変位される。光ピックアップ６３は、スレッド機構によって、光磁気ディスク１０１の内外周に亘って直線的に移動される。具体的に、光ピックアップ６３は、待機時において、光磁気ディスク１０１の最内周側にあり、内周側から順次読出を行うとき、光ピックアップ６３を内周側から外周側に順に移動する。また、光ピックアップ６３は、ユーザによって順方向又は逆方向のトラックジャンプ操作がされたとき、ユーザが指定したトラックの読出を行うことができるように移動される。
【０１０６】
ＲＦアンプ６５は、光ピックアップ６３を構成する光検出器からの出力信号に基づいて、ＲＦ信号、フォーカシングエラー信号及びトラッキングエラー信号を生成する。また、ＲＦアンプ６５は、光磁気ディスク１０１にウォブリンググルーブとして記録された絶対位置情報であるグルーブ情報信号を抽出する。例えばフォーカシングエラー信号は、非点収差法等により生成され、トラッキングエラー信号は、３ビーム法、プッシュプル法等により生成される。そして、ＲＦアンプ６５は、ＲＦ信号をＥＦＭ／ＣＩＲＣエンコーダ／デコーダ６９に出力し、グルーブ情報信号をアドレスデコーダ６８に出力し、更に、フォーカシングエラー信号及びトラッキングエラー信号をサーボ制御部６７に出力する。
【０１０７】
サーボ制御部６７は、ＲＦアンプ６５から供給されるフォーカシングエラー信号やトラッキングエラー信号に基づくフォーカシングサーボ制御やトラッキングサーボ制御等を行う。具体的に、このサーボ制御部６７は、ＲＦアンプ６５から供給されたフォーカシングエラー信号やトラッキングエラー信号から、フォーカシング方向やトラッキング方向の目標値との誤差量を検出し、この検出結果に基づいたサーボ信号をドライバ６６に出力する。ドライバ６６は、このフォーカシングサーボ信号やトラッキングサーボ信号に応じた駆動電流を光ピックアップ６３の対物レンズ駆動機構のフォーカシングコイルやトラッキングコイルに出力することにより、対物レンズを光磁気ディスク１０１の信号記録面に対して近接離間するフォーカシング方向や記録トラックに対して直交するトラッキング方向に駆動変位させる。
【０１０８】
アドレスデコーダ６８は、ＲＦアンプ６５から供給されたグルーブ情報信号をデコードしてアドレス情報を抽出する。このアドレス情報は、システムコントローラ５３に供給され、各種の駆動制御に用いられる。
【０１０９】
ＥＦＭ／ＣＩＲＣエンコーダ／デコーダ６９は、光磁気ディスク１０１に記録されたオーディオデータの再生をするとき、ＲＦアンプ６５から入力されたＲＦ信号に対して、ＥＦＭ(Eight to Fourteen Modulation)復調等の復調処理やＣＩＲＣ(Cross Interleave Reed-Solomon Code)等のエラー訂正復号処理を行う。また、光磁気ディスク１０１にデータを記録するとき、耐振用メモリコントローラ７１の制御によってバッファメモリ７０に一時的に記録されたデータが所定のデータ単位で入力され、入力されたデータに対してＣＩＲＣ等のエラー訂正符号化処理を施すと共に、ＥＦＭ等の変調処理を施し、ヘッド駆動部７６へ出力する。
【０１１０】
耐振用メモリコントローラ７１は、Ｄ−ＲＡＭ（Dynamic-Random Access Memory ）等のバッファメモリ７０へのデータの書込やバッファメモリ７０からのデータの読出を制御する。具体的に、耐振用メモリコントローラ７１は、光磁気ディスク１０１に記録されているデータの再生をするとき、ＥＦＭ／ＣＩＲＣエンコーダ／デコーダ６９から出力されたデータをバッファメモリ７０に書き込み、この後、所定データ単位でデータを読み出し、読み出したデータを圧縮エンコーダ／デコーダ７２に出力する。また、耐振用メモリコントローラ７１は、光磁気ディスク１０１にデータを記録するとき、圧縮エンコーダ／デコーダ７２より入力されたデータをバッファメモリ７０に書き込み、この後、所定データ単位でデータを読み出し、読み出したデータをＥＦＭ／ＣＩＲＣエンコーダ／デコーダ７２へ出力する。
【０１１１】
圧縮エンコーダ／デコーダ７２は、オーディオデータの圧縮伸長を行う。具体的に、圧縮エンコーダ／デコーダ７２は、光磁気ディスク１０１に記録されているオーディオデータの再生をするとき、バッファメモリ７０から読み出されたＡＴＲＡＣ(Adaptive Transform Acoustic Coding)等の方式で圧縮されているデータの伸長処理を行い、Ｄ／Ａ変換部７３に出力する。また、圧縮エンコーダ／デコーダ７２は、光磁気ディスク１０１にオーディオデータを記録するとき、コンパクトディスク等の再生部５１からのディジタルデータの圧縮処理をし、圧縮したデータをバッファメモリ７０に出力する。
【０１１２】
ヘッド駆動部７６は、ＥＦＭ／ＣＩＲＣエンコーダ／デコーダ６９でエラー訂正符号化処理や変調処理が施された記録データに応じて外部磁界を磁気ヘッド７５に発生させる。このとき、ヘッド昇降機構は、磁気ヘッド７６を光磁気ディスク１０１の光ピックアップ６３と対向する面とは反対側の面に接触又は近接させる。光磁気ディスク１０１は、光磁気記録層に光ピックアップ６３により光ビームが照射されてキュリー温度以上に加熱され磁気ヘッド７５により磁界が印加されることによってオーディオデータ等が記録される。
【０１１３】
次に、以上のように構成された記録再生装置５０の再生部５１に光ディスク１０が装着されたときの動作を図９を参照して説明する。システムコントローラ５３は、光ディスク１０が回転駆動部のディスクテーブルに装着され、光ディスク１０がディスクテーブルに装着されたことを検出すると、モータ１２を線速度一定でディスクテーブルに装着された光ディスク１０を回転する。これと共に、システムコントローラ５３は、光ピックアップ１４を駆動する。すなわち、光ピックアップ１４は、光ビームを光ディスク１０に出射し、光ディスク１０の信号記録面で反射された戻りの光ビームは、光検出器により電気信号に変換され、光検出器は、この電気信号をＲＦアンプ１６に出力する。ＲＦアンプ１６は、ＲＦ信号を生成し同期信号検出部１８に出力すると共に、フォーカシングエラー信号とトラッキングエラー信号を生成し、サーボ制御部１７に出力する。サーボ制御部１７は、フォーカシングエラー信号に基づき、フォーカシングサーボ信号を生成し、また、トラッキングエラー信号に基づき、トラッキングサーボ信号を生成し、これらのエラー信号を、光ピックアップ１４を構成する対物レンズ駆動機構の駆動回路に出力する。そして、光ピックアップ１４は、対物レンズ駆動機構を駆動し、対物レンズを光ビームの光軸方向に駆動変位させることによってフォーカシング制御を行い、対物レンズを光ビームの光軸に直交する方向に駆動変位させることによってトラッキング制御を行う。
【０１１４】
そして、システムコントローラ５３は、ステップＳ５１において、最初に、光ディスク１０の最内周の、すなわち第１のセッションのリードインエリアに記録されたＴＯＣデータの読出を行う。具体的に、システムコントローラ５３は、光ピックアップ１４をディスクテーブルに装着された光ディスク１０の最内周に移動させる。ここで、光ピックアップ１４は、光ビームを出射し、光ディスク１０で反射された戻りの光ビームを検出することによって光電変換し、ＲＦアンプ１６に出力する。そして、サブコード復調部２４は、ＲＦ信号の中からサブコードデータの抽出をし、１４ビットの記録符号系列のデータビットを８ビットの系列のデータビットに変換復調し制御部２８に出力する。第１のセッションのＴＯＣデータの読出が完了すると、システムコントローラ５３は、ステップＳ５２において、装着された光ディスク１０がマルチセッション型の光ディスク１０であるかどうかの判断を行う。具体的に、システムコントローラ５３は、第１セッション３のポイントブロックＰＯＩＮＴに「Ｂ０」が設定されていかを判断する。そして、システムコントローラ５３は、「Ｂ０」ポインタが設定されているとき、マルチセッション型であると判断してステップＳ５３に進み、「Ｂ０」ポインタが設定されていないとき、シングルセッションのＣＤ−ＤＡ等の通常の光ディスクであると判断して他の処理を続行する。
【０１１５】
ステップＳ５３において、システムコントローラ５３は、次のセッションにアクセスする。すなわち、ｎ（セッションの数）に「２」を代入する。次いで、システムコントローラ５３は、ステップＳ５４において、「Ｂ０」ポインタに基づき、次のセッションにアクセスをし、ステップＳ５４において、第２のセッションのＴＯＣデータを読み出す。
【０１１６】
ステップＳ５５において、システムコントローラ５３は、第２のセッションのリードインエリアに「Ｂ０」ポインタが記録されているかどうか、すなわち更に外周側にセッションがあるかどうかを判断する。そして、システムコントローラ５３は、「Ｂ０」ポインタが設定されているとき、ステップＳ５６に進み、「Ｂ０」ポインタが設定されていないとき、第２のセッション以降には更なるセッションが存在しないとして、処理を終了する。
【０１１７】
ステップＳ５６において、システムコントローラ５３は、第２のセッション以降のセッションの「Ｂ０」ポインタのＭＳＦが特定情報であるか、例えば「００：００：００」若しくは「ＦＦ：ＦＦ：ＦＦ」であるかを判断し、これらの特定情報がＭＳＦに設定されているとき、「Ｂ０」ポインタが設定されていないとみなして、処理を終了する。すなわち、システムコントローラ５３は、外側に更なるセッションは存在しないと判断する。また、システムコントローラ５３は、特定情報がＭＳＦに設定されていないとき、ステップＳ５７に進む。
ステップＳ５７において、システムコントローラ５３は、装着された光ディスク１０が規格外光ディスクであるかどうかの判断を行う。具体的に、このステップＳ５７では、上記図２に示すステップＳ３〜ステップＳ６の処理を行うことによって、装着された光ディスク１０が規格外光ディスクであるかどうかの判断を行う。そして、システムコントローラ５３は、装着された光ディスク１０が規格外光ディスクであるとき、ステップＳ５８に進み、装着されている光ディスク１０が規格外光ディスクであることを示すフラグ「１」を立てる。また、システムコントローラ５３は、装着された光ディスク１０が規格外光ディスクでない正規な光ディスクであると判断したとき、ステップＳ５９に進み、次のセッションのＴＯＣデータの読出を続行し、ＴＯＣ用メモリ２５に保存する。
【０１１８】
この記録再生装置５０は、光ディスク１０の再生の他、更に光ディスク１０に記録されたオーディオデータをディスクカートリッジ１００の光磁気ディスク１０１にダビングすることもできる。この記録再生装置５０では、高速で光ディスク１０を再生し、短時間でディスクカートリッジ１００の光磁気ディスク１０１へのダビングを可能としている。システムコントローラ５３は、操作部５４より光ディスク１０のオーディオデータをディスクカートリッジ１００の光磁気ディスク１０１に高速ダビングする操作信号が入力されると、再生部５１の回転制御部１３を制御して、光ディスク１０を高速回転し、光ディスク１０に記録されているオーディオデータの高速読出をすると共に、記録再生部５２の回転制御部６２を制御して、ディスクカートリッジ１００の光磁気ディスク１０１を高速回転し、高速で光ディスク１０から読み出されたオーディオデータを光磁気ディスク１０１に記録できるようにする。
【０１１９】
具体的に、高速回転されている光ディスク１０から読み出されたオーディオデータは、光ピックアップ１４は、ＲＦ信号として、ＲＦアンプ１６に出力され、復調部１９で復調された後、エラー訂正処理部２０でＣＩＲＣの復号処理がされ、ＣＩＲＣのエラー訂正能力を超えたエラーに関して補間処理が施される。補間処理がされたオーディオデータは、アナログ信号に変換される前に、すなわちＤ／Ａ変換部２２の前段で、記録再生部５２の圧縮エンコーダ／デコーダ７２に出力される。
【０１２０】
記録再生部５２においても、ディスクカートリッジ１００の光磁気ディスクは、システムコントローラ５３の制御に基づいて、高速回転されている。そして、圧縮エンコーダ／デコーダ７２に入力された再生部５１からのディジタルのオーディオデータは、圧縮エンコーダ／デコーダ７２でＡＴＲＡＣにより圧縮され、耐振用メモリコントローラ７１によってバッファメモリ７０へ一時的に書き込まれ、このバッファメモリ７０より所定のデータ単位毎に読み出されて、ＥＦＭ／ＣＩＲＣエンコーダ／デコーダ６９でＥＦＭ変調、並びにエラー訂正に関するＣＩＲＣ等のエンコード処理が行われた後に、ヘッド駆動部７６へと供給される。そして、ヘッド駆動部７６は、光ディスク１０から読み出されたオーディオデータに応じて変調された外部磁界を磁気ヘッド７６に発生させる。そして、磁気ヘッド７５は、光ピックアップ６３により光ビームが照射されキュリー温度以上に加熱された位置に外部磁界を印加して光ディスク１０から読み出されたダビングするオーディオデータを記録する。
【０１２１】
光ディスク１０のオーディオデータをディスクカートリッジ１００の光磁気ディスク１０１にダビングするとき、光磁気ディスク１０１には、光ディスク１０に記録されたオーディオデータを正確に記録した方が、光磁気ディスク１０１に記録されたオーディオデータを再生した際の音質も維持できる。すなわち、光ディスク１０を再生する再生部５１のエラー訂正処理部２０のエラー訂正能力を超えるエラーが発生したときには、光ディスク１０の回転速度を落とし、読出を再試行して、補間処理の必要の無いデータをディスクカートリッジ１００の記録再生部５２に出力した方がよい。
【０１２２】
そこで、光ディスク１０から読み出したオーディオデータをディスクカートリッジ１００の光磁気ディスク１０１にダビングするとき、光ディスク１０の読出を行う再生部５１のエラー検出部２９は、エラー訂正処理部２０で行うＣ２符号を用いたバーストエラーの訂正処理を超えたＣ２エラーの数を検出し、Ｃ２エラー数信号をシステムコントローラ５３に出力する。そして、システムコントローラ５３は、Ｃ２エラーが閾値以上発生したとき、光ディスク１０の回転速度を落とすように回転制御部１３を制御すると共に、これに合わせて、光磁気ディスク１０１の回転速度を落とすように回転制御部６２を制御する。そして、光ディスク１０の再生部５１は、段階的に定速まで光ディスク１０の回転速度を落としても、Ｃ２エラーが発生したときには、補間処理を行ってから、ディスクカートリッジ１００の記録再生部５２の圧縮エンコーダ／デコーダ７２に光ディスク１０から読み出したオーディオデータを出力する。
【０１２３】
ところで、上述したように、規格外光ディスクは、上述した第５の問題点で説明したように、再生時にバーストエラーが多く発生するものがある。この規格外光ディスクは、予めＣ２エラーが発生するようにオーディオデータが記録されているのであるから、高速ダビングの際、光ディスク１０の回転速度を落としても、Ｃ２エラーが無くなるわけではない。そこで、システムコントローラ５３は、光ディスク１０が規格外光ディスクであるとき、回転速度を下げる際のＣ２エラー数の閾値を高くするようにしている。
【０１２４】
具体的に、図１０に示すように、システムコントローラ５３は、ステップＳ６１において、装着された光ディスク１０の種類が規格外光ディスクであるかどうかを判断する。システムコントローラ５３は、上記図９に示したように、光ディスク１０がディスクテーブルに装着されたとき、ステップＳ５７で規格外光ディスクであるかを判断し、装着された光ディスク１０が規格外光ディスクであるとき、ステップＳ５８で規格外光ディスクであることを示すフラグ「１」を立てている。ステップＳ６１において、システムコントローラ５３は、フラグ「１」が立っているかを判断することによって、複写の際のソースとなる光ディスク１０が規格外光ディスクであるかを判断する。システムコントローラ５３は、フラグ「１」が立っているとき、規格外光ディスクであると判断してステップＳ６３に進み、フラグ「０」が立っているとき、コンパクトディスク規格に従った光ディスクが装着されていると判断し、ステップＳ６２に進む。
【０１２５】
コンパクトディスク規格に従った光ディスクが装着されていると判断したとき、システムコントローラ５３は、ステップＳ６２において、Ｃ２エラー数の閾値をデフォルトのａ１に設定する。閾値ａ１は、コンパクトディスク規格に従った光ディスクをダビングする際、Ｃ２エラーが発生し光ディスク１０の回転速度を段階的に落とすときの閾値である。そして、システムコントローラ５３は、Ｃ２エラー数として閾値ａ１を設定すると、ステップＳ６４に進む。
【０１２６】
また、規格外光ディスクが装着されているとき、システムコントローラ５３は、ステップＳ６３において、閾値ａ１より大きい閾値２を設定する。閾値２は、コンパクトディスク規格に従った光ディスクでも発生するＣ２エラーに加え、規格外光ディスクはＣ２エラーがコンパクトディスク規格に従った光ディスクより多く発生することを考慮して設定された値である。そして、システムコントローラ５３は、Ｃ２エラー数として閾値ａ２を設定すると、ステップＳ６４に進む。
【０１２７】
ステップＳ６４において、システムコントローラ５３は、光ディスク１０を高速回転し、光ディスク１０に記録されているオーディオデータの読出を開始すると共に、読み出したオーディオデータの複写先となるディスクカートリッジの光磁気ディスク１０１の高速回転を開始する。
【０１２８】
光ディスク１０の読出を行っているとき、システムコントローラ５３は、ステップＳ６５において、エラー検出部２９から入力されたＣ２エラーが閾値ａ１，ａ２より大きいかを判断し、大きいとき、Ｃ２エラーが発生しすぎていると判断して、ステップＳ６７に進む。また、システムコントローラ５３は、エラー検出部２９から入力されたＣ２エラーが閾値ａ１，ａ２より大きくないとき、すなわち小さいとき、光ディスク１０を高速回転してもデータがＣ２エラーが発生すること無く読み出されていると判断してステップＳ６６に進む。ステップＳ６６において、システムコントローラ５３は、複写するオーディオデータが全て完了したかを判断し、全て終了したとき、高速ダビングの処理を終了する。また、システムコントローラ５３は、全てのオーディオデータの複写が完了していないとき、ステップＳ６４からの処理を繰り返す。
【０１２９】
また、ステップＳ６５でエラー検出部２９から入力されたＣ２エラーが閾値ａ１，ａ２より大きいとき、システムコントローラ５３は、光ディスク１０の高速回転によってＣ２エラーが発生していると判断して、ステップＳ６７において、光ディスク１０の回転速度を落とす。また、システムコントローラ５３は、光ディスク１０の回転速度を減速するに伴って、光磁気ディスク１０１の回転速度も減速する。ステップＳ６８において、システムコントローラ５３は、エラー検出部２９から入力されたＣ２エラーが閾値ａ１，ａ２より大きかったトラックの先頭にアクセスし、ステップＳ６８において、エラー検出部２９から入力されたＣ２エラーが閾値ａ１，ａ２より大きかったトラックの再生を開始する。
【０１３０】
以上のような処理によれば、再生部５１に装着される光ディスク１０が規格外光ディスクでＣ２エラーが多く発生するものであっても、Ｃ２エラー数の閾値を通常より高く設定することから、従来のように、光ディスク１０の再生速度が落ちることが無くなり、従って、短時間で光ディスク１０に記録されたオーディオデータをディスクカートリッジ１００の光磁気ディスク１０１にダビングすることができる。
【０１３１】
なお、以上の例では、複写先の記録媒体を、光磁気ディスク１０１を記録媒体に用いるディスクカートリッジ１００を例に取り説明したが、ディスクカートリッジ１００に限定されるものではなく、この他に、オーディオデータの記録用のＣＤ−Ｒ型コンパクトディスク、ＣＤ−ＲＷ型コンパクトディスクであってもよく、更に、半導体メモリを記憶素子に用いるＩＣカード等であってもよい。
【図面の簡単な説明】
【０１３２】
【図１】本発明を適用した規格外光ディスクの再生可能な再生装置のブロック図である。
【図２】光ディスクが装着され再生に至るまでの再生装置の動作を説明するフローチャートである。
【図３】第１のセッションのＴＯＣデータに含まれる第１のセッションの各トラック情報が他のセッションのＴＯＣに含まれる各トラック情報と重複するかどうかを判断して装着された光ディスクが規格外光ディスクであるかを判断するときの処理を説明するフローチャートである。
【図４】ＴＯＣ用メモリに保存されるデータを説明する図であり、（Ａ）は、規格外光ディスクのときのＴＯＣデータを説明する図であり、（Ｂ）は、規格外光ディスクが装着されたとき、制御部が生成する光ディスク全体のＴＯＣデータを説明する図であり、（Ｃ）は、従来の装置が規格外光ディスクのＴＯＣデータを読み出したとき生成する光ディスク全体のＴＯＣデータを説明する図である。
【図５】「Ｂ０」ポインタのリンク情報を用いて装着された光ディスクが規格外光ディスクであるかを判断するときの処理を説明するフローチャートである。
【図６】第１のセッションのリードインエリアのＴＯＣデータのポイントブロックＰＯＩＮに「Ｃ０」が設定され、ＭＳＦに、正しい最初のリードインエリアの開始時間が記録されているときに、アドレスブロックＡＤＲが「１」のときのＭＳＦに不正な絶対時間が記録されているかを判断する際の処理を説明するフローチャートである。
【図７】第１のセッションのリードインエリアのＴＯＣデータのポイントブロックＰＯＩＮに「Ｃ０」が設定され、ＭＳＦに、正しい最初のリードインエリアの開始時間が記録されているときで、第２のセッション以降のリードインエリアのＴＯＣデータのアドレスブロックＡＤＲが「１」のときのＭＳＦが前後のエリアと連続しない誤った時間が記録されているかを判断する際の処理を説明するフローチャートである。
【図８】本発明の他の例を示す光ディスクのオーディオデータをディスクカートリッジにダビングすることができる記録再生装置のブロック図である。
【図９】上記記録再生装置の再生部に光ディスクが装着されたときの動作を説明するフローチャートである。
【図１０】光ディスクに記録されたオーディオデータをディスクカートリッジの光磁気ディスクにダビングするときのフローチャートである。
【図１１】マルチセッション型のコンパクトディスクを説明する図である。
【図１２】コンパクトディスクのフォーマットを説明する図である。
【図１３】サブコードとフレームフォーマットを説明する図である。
【図１４】サブコードを説明する図である。
【図１５】ＴＯＣデータとなるリードインエリアに記録されたサブコードのＱチャンネルを説明する図である。
【符号の説明】
【０１３３】
１０  光ディスク、１１  再生装置、２９  エラー検出部、５０  記録再生装置、５１  光ディスクの再生部、５２  ディスクカートリッジの記録再生部、５３  システムコントローラ
【図１】
2005063556.tif 000003
【図２】
2005063556.tif 000004
【図３】
2005063556.tif 000005
【図４】
2005063556.tif 000006
【図５】
2005063556.tif 000007
【図６】
2005063556.tif 000008
【図７】
2005063556.tif 000009
【図８】
2005063556.tif 000010
【図９】
2005063556.tif 000011
【図１０】
2005063556.tif 000012
【図１１】
2005063556.tif 000013
【図１２】
2005063556.tif 000014
【図１３】
2005063556.tif 000015
【図１４】
2005063556.tif 000016
【図１５】
2005063556.tif 000017